(57)【要約】【課題】捨てコンクリートのモジュール芯に沿って配置するだけで、シングル配筋だけでなく、下端がフック状に形成されたフック型配筋やリング状（フープ状）に形成された閉鎖型配筋を簡便かつ確実に保持して、かぶり厚を一定にすることができ、布基礎工事における作業性を著しく向上させて、施工効率を高め、工期を大幅に短縮することができる汎用性、多様性に優れる基礎用鉄筋支持具の提供。【解決手段】鉄筋支持部が、基部上の中央部に脚部を介して形設された横筋支持部と、横筋支持部に連設された立上り筋支持部と、横筋支持部の横筋支持面上に立設された縦筋係合部と、立上り筋支持部の下端部に形設された嵌合溝部と、を備え、型枠支持部が、基部上の両側部に立設された支柱部と、支柱部の上端に形設された型枠載置面と、を備えている。【選択図】図１
2011247032.tif 000002
【特許請求の範囲】
【請求項１】
基部上に、鉄筋を支持する鉄筋支持部と、前記鉄筋支持部の両側で型枠を支持する左右一対の型枠支持部と、が形設された基礎構築用鉄筋支持具であって、
前記鉄筋支持部が、前記基部上の中央部に脚部を介して形設された横筋支持部と、前記横筋支持部に連設され立上り筋が嵌合される嵌合凹部を有する立上り筋支持部と、前記横筋支持部の横筋支持面上に立設され縦筋が係合される縦筋係合部と、前記立上り筋支持部の下端部に下に凸な円弧溝状に形設されフック状に形成された鉄筋の下端側の円弧部が嵌合される嵌合溝部と、を備え、
前記型枠支持部が、前記基部上の両側部に立設された支柱部と、前記支柱部の上端に形設され前記型枠が載置される型枠載置面と、を備えていることを特徴とする基礎構築用鉄筋支持具。
【請求項２】
前記型枠支持部が、前記支柱部に形設された横筋載置部を備えていることを特徴とする請求項１に記載の基礎構築用鉄筋支持具。
【請求項３】
前記鉄筋支持部が、前記嵌合溝部の両側壁の前記縦筋係合部側の端部上方に隆起して形設され縦筋が係合される係合爪部を備えていることを特徴とする請求項１又は２に記載の基礎構築用鉄筋支持具。
【請求項４】
前記鉄筋支持部と、前記型枠支持部の前記支柱部と、を連結する水平連結部を備えていることを特徴とする請求項１乃至３の内いずれか１項に記載の基礎構築用鉄筋支持具。
【発明の詳細な説明】
【技術分野】
【０００１】
本発明は鉄筋コンクリート又は鉄骨鉄筋コンクリート造りの建築物や橋梁、滑走路等の基礎工事に有用な基礎構築用鉄筋支持具に関するものである。
【背景技術】
【０００２】
従来、建築物等の自重による鉛直方向の荷重や、風や地震によって建築物に加わる水平方向の荷重を地盤に伝えるために基礎工事がなされている。基礎には独立基礎、布基礎、複合基礎、べた基礎等がある。いずれの基礎工事も砂利地業や割栗地業を行い、次いで捨てコンクリートを打設した後、鉄筋を配設しスラブを形成して行われる。スラブの形成は捨てコンクリートの上面にレンガや石を置いてその上に鉄筋を配筋した後、スラブ用のコンクリートを打設して行われる。スラブの形成の際、鉄筋のかぶり厚を一定にするのが困難なために種々の工夫がなされている。
本願出願人が出願した、（特許文献１）には、「基部と、基部に立設された横筋支持部と、横筋支持部の左右壁若しくは左右両側部や背部から連設され立上り筋を嵌合する嵌合凹部を有する立上り筋支持部と、立上り筋支持部の間に形成された縦筋落し部と、立上り筋支持部の上部から延設され基部の上面と平行に形成された幅止め金物支持部と、を備えたことを特徴とする基礎用鉄筋支持具。」が開示されている。
【先行技術文献】
【特許文献】
【０００３】
【特許文献１】特許第２７７９４０４号公報
【発明の概要】
【発明が解決しようとする課題】
【０００４】
（特許文献１）に記載の技術は、捨てコンクリートのモジュール芯に沿って配置するだけで、かぶり厚を一定にすることができるだけでなく、ベース筋（縦筋，横筋）の配筋と立上り筋の配筋が一工程で出来るとともに、幅止め金物を載置するだけで型枠位置の位置決めができ、作業性を著しく向上させ施工効率を高め工期を大幅に短縮できるものであったが、シングル配筋しか支持することができず、下端がフック状に形成されたものやリング状（フープ状）に形成されたものには対応することができないため、汎用性の向上が強く要望されていた。
【０００５】
本発明は上記従来の要望に応えるもので、捨てコンクリートのモジュール芯に沿って配置するだけで、シングル配筋だけでなく、下端がフック状に形成されたフック型配筋やリング状（フープ状）に形成された閉鎖型配筋を簡便かつ確実に保持して、かぶり厚を一定にすることができ、布基礎工事における作業性を著しく向上させて、施工効率を高め、工期を大幅に短縮することができる汎用性、多様性に優れる基礎用鉄筋支持具を提供することを目的とする。
【課題を解決するための手段】
【０００６】
上記従来の課題を解決するために本発明の基礎用鉄筋支持具は、以下の構成を有している。
本発明の請求項１に記載の基礎用鉄筋支持具は、基部上に、鉄筋を支持する鉄筋支持部と、前記鉄筋支持部の両側で型枠を支持する左右一対の型枠支持部と、が形設された基礎構築用鉄筋支持具であって、前記鉄筋支持部が、前記基部上の中央部に脚部を介して形設された横筋支持部と、前記横筋支持部に連設され立上り筋が嵌合される嵌合凹部を有する立上り筋支持部と、前記横筋支持部の横筋支持面上に立設され縦筋が係合される縦筋係合部と、前記立上り筋支持部の下端部に下に凸な円弧溝状に形設されフック状に形成された鉄筋の下端側の円弧部が嵌合される嵌合溝部と、を備え、
前記型枠支持部が、前記基部上の両側部に立設された支柱部と、前記支柱部の上端に形設され前記型枠が載置される型枠載置面と、を備えた構成を有している。
この構成により、以下のような作用が得られる。
（１）鉄筋支持部が、基部上の中央部に脚部を介して形設された横筋支持部と、横筋支持部に連設され立上り筋が嵌合される嵌合凹部を有する立上り筋支持部と、横筋支持部の横筋支持面上に立設され縦筋が係合される縦筋係合部と、を有することにより、横筋支持部で横（ベース）筋を支持し、立上り筋支持部の嵌合凹部に立上り筋の下部を差し込むと共に、縦筋係合部に縦（ベース）筋を係合するだけで、一工程でシングル配筋を均一な高さに配筋してかぶり厚を一定にすることができ、施工性に優れる。
（２）立上り筋支持部の下端部に下に凸な円弧溝状に形設されフック状に形成された鉄筋の下端側の円弧部が嵌合される嵌合溝部を有するので、下端がフック状に形成された配筋を簡便かつ確実に保持することができ、布基礎工事における作業性を著しく向上させることができる。
（３）型枠支持部が、基部上の両側部に立設された支柱部と、支柱部の上端に形設され型枠が載置される型枠載置面を有するので、型枠を簡便かつ確実に支持することができ、布基礎工事における施工効率を高め、工期を大幅に短縮することができる。
（４）横筋支持部、立上り筋支持部、縦筋係合部、嵌合溝部を有することにより、様々な形状や種類の配筋に対応することができ、汎用性、多様性に優れる。
【０００７】
ここで、基礎用鉄筋支持具の材料としては、ポリエチレン，ポリプロピレン，ポリスチレン，ポリアミド，ポリ塩化ビニル，ポリ塩化ビニリデン，ＡＢＳ，フッ素樹脂，塩素化ポリエーテル樹脂等の耐アルカリ性の合成樹脂やこれらと無機充填剤との組成物、もしくはステンレス等の金属や、セラミックス等が用いられる。合成樹脂製若しくはその組成物を原料としたものは射出成形等で大量生産でき、量産性に優れると共に、軽量で施工性、取扱い性に優れるので好ましい。ステンレス製のものは補強効果を有するので補強を有する部分等の施工には特に好ましい。セラミックス製やモルタル製のものはスラブ用コンクリートとなじみ易いので好ましい。
【０００８】
基部は捨てコンクリートの上面に配置されるため下面が水平状に形成される平板状のものや半円柱状のもの若しくは２乃至複数本の細い棒状（番線等）で形成される。
横筋支持部は、柱状又は枠状に形成された脚部と、脚部の上部に形成された横筋支持面を有する。柱状又は枠状に形成された脚部を有することにより、スラブ用コンクリートを打設する際に流し込まれるコンクリートの流れに対する抵抗を少なくするとともにスラブの強度が低下することを防ぐことができる。横筋支持部の横筋支持面の高さはかぶり厚を基準にして決められる。横筋支持面の広さは横（ベース）筋を前後に傾けさせない程度の広さをもって形成される。横筋支持面を広く形成したときは横筋支持部の脚部を枠状に形成しその開口部にスラブ用コンクリートが流れるように形成するのが望ましい。基礎用鉄筋支持具とスラブ用コンクリートの一体化を高めるとともにスラブ用コンクリートを打設する際に基礎用鉄筋支持具が浮き上がったり流されたりしないためである。
【０００９】
立上り筋支持部は下端部に立上り筋が嵌合される嵌合凹部を有するが、立上り筋の側部を案内、支持する半円筒状等の立上り筋案内部を嵌合凹部の上方に延設することにより、立上り筋を確実に支持することができ、立上り筋の固定安定性に優れる。
縦筋係合部は嵌合溝部と直交するように配置されるので、嵌合溝部の前後に立設された両側壁部を切り欠くようにして形設することができる。このとき、縦筋係合部を円弧状に形設することにより、縦（ベース）筋の固定安定性に優れる。
立上り筋支持部が立上り筋案内部を有する場合、立上り筋案内部と嵌合溝部が側面視略J型をなすように形設することにより、フック状に形成された鉄筋の下端側の円弧部から立ち上がり部分にかけて保持することができ、固定の確実性に優れる。
【００１０】
型枠支持部の支柱部は板状や枠状などに形成することができるが、必要に応じてリブを設ける等して補強することができる。また、支柱部や型枠載置面の要所に肉抜き孔を穿設して軽量化を図ると共に、肉抜き孔にコンクリートを流し、支柱部や型枠載置面でスラブ用コンクリートが分断されることを防止して、基礎用鉄筋支持具とスラブ用コンクリートを一体化し、強度を高めることできる。尚、鉄筋支持部の脚部と型枠支持部の支柱部との間をリブなどにより部分的に連結することにより、鉄筋支持部及び型枠支持部の強度を確保することができ、耐久性、取扱い性に優れる。
また、型枠支持部には、型枠載置面よりも低い位置に段差状に幅止め金具載置部を形成することが好ましい。幅止め金具載置部に既製の幅止め金具（セパレータ）を載置することにより、型枠を略一定の間隔に保持することができるためである。
【００１１】
請求項２に記載の発明は、請求項１に記載の基礎用鉄筋支持具であって、前記型枠支持部が、前記支柱部に形設された横筋載置部を備えた構成を有している。
この構成により、請求項１で得られる作用に加え、以下のような作用が得られる。
（１）型枠支持部が、支柱部に形設された横筋載置部を備えることにより、鉄筋支持部の横筋支持部と共に横（ベース）筋を広い範囲で確実に支持することができ、横（ベース）筋の支持安定性に優れる。
ここで、横筋載置部は、鉄筋支持部の横筋支持面の高さに合わせて形設する。横筋載置部の上方に間隔を空けて横筋係止部を設けた場合、横筋が浮き上がることを防止して、横筋を確実に水平に保持することができ、配筋の信頼性に優れる。
【００１２】
請求項３に記載の発明は、請求項１又は２に記載の基礎用鉄筋支持具であって、前記鉄筋支持部が、前記嵌合溝部の両側壁の前記縦筋係合部側の端部上方に隆起して形設され縦筋が係合される係合爪部を備えた構成を有している。
この構成により、請求項１又は２で得られる作用に加え、以下のような作用が得られる。
（１）鉄筋支持部が、嵌合溝部の両側壁の縦筋係合部側の端部上方に隆起して形設され縦筋が係合される係合爪部を備えることにより、縦筋係合部と異なる位置（高さ）に配置される縦（ベース）筋を支持することができ、様々な形態の配筋に対応することが可能で、汎用性、多様性に優れる。
ここで、係合爪部は嵌合溝部の両側壁部の上方に突設することができる。尚、係合爪部の数や配置は適宜、選択することができる。
【００１３】
請求項４に記載の発明は、請求項１乃至３の内いずれか１項に記載の基礎用鉄筋支持具であって、前記鉄筋支持部と、前記型枠支持部の前記支柱部と、を連結する水平連結部を備えた構成を有している。
この構成により、請求項１乃至３の内いずれか１項で得られる作用に加え、以下のような作用が得られる。
（１）鉄筋支持部と、型枠支持部の支柱部と、を連結する水平連結部を備えることにより、鉄筋支持部や型枠支持部の剛性を高めることができ、耐久性に優れる。
（２）水平連結部を設けることにより、左右の型枠支持部の支柱部の間隔を広げ、鉄筋支持部と型枠支持部との間に十分な空間を形成してスラブ用コンクリートの充填性を高めることができ、施工性に優れる。
（３）左右の水平連結部により、平行に配設された２本の縦（ベース）筋を支持することができるので、リング状の配筋にも対応することができ、汎用性、多様性に優れる。
【００１４】
ここで、水平連結部は、中央の鉄筋支持部と左右の型枠支持部の支柱部とを連結する。
水平連結部を有する場合、嵌合溝部の一部又は全部を水平連結部に形設することができる。また、前述の係合爪部を水平連結部の上面に突出させて形成することにより、水平連結部の上面に配置される縦（ベース）筋に係合して縦（ベース）筋の位置決め、固定を行うことができる。
【発明の効果】
【００１５】
以上のように、本発明の基礎用鉄筋支持具によれば、以下のような有利な効果が得られる。
請求項１に記載の発明によれば、以下のような有利な効果が得られる。
（１）横筋支持部、立上り筋支持部、縦筋係合部、嵌合溝部により、シングル配筋だけでなく、フック状やリング状などの配筋を支持することができ、様々な形状や種類の配筋に対応することができる汎用性、多様性に優れた基礎用鉄筋支持具を提供することができる。
【００１６】
請求項２に記載の発明によれば、請求項１に記載の効果に加えて以下のような有利な効果が得られる。
（１）鉄筋支持部の横筋支持部と共に横筋載置部により、横（ベース）筋を広い範囲で確実に支持することができる支持安定性に優れた基礎用鉄筋支持具を提供することができる。
【００１７】
請求項３に記載の発明によれば、請求項１又は２に記載の効果に加えて以下のような有利な効果が得られる。
（１）係合爪部によって縦筋係合部と異なる位置（高さ）に配置される縦（ベース）筋を支持することができ、様々な形態の配筋に対応することが可能な汎用性、多様性に優れた基礎用鉄筋支持具を提供することができる。
【００１８】
請求項４に記載の発明によれば、請求項１乃至３の内いずれか１項に記載の効果に加えて以下のような有利な効果が得られる。
（１）左右の水平連結部により、平行に配設された２本の縦（ベース）筋を支持することができ、リング状の配筋にも対応することが可能な汎用性、多様性に優れた基礎用鉄筋支持具を提供することができる。
【図面の簡単な説明】
【００１９】
【図１】実施の形態１における基礎用鉄筋支持具の正面側斜視図
【図２】実施の形態１における基礎用鉄筋支持具の背面側斜視図
【図３】実施の形態１における基礎用鉄筋支持具の正面図
【図４】実施の形態１における基礎用鉄筋支持具の左側面図
【図５】実施の形態１における基礎用鉄筋支持具の背面図
【図６】実施の形態１における基礎用鉄筋支持具の平面図
【図７】実施の形態１における基礎用鉄筋支持具でシングル配筋を支持する場合の斜視図
【図８】実施の形態１における基礎用鉄筋支持具でシングル配筋を支持する場合の部分拡大斜視図
【図９】実施の形態１における基礎用鉄筋支持具で両フック型配筋を支持する場合の斜視図
【図１０】実施の形態１における基礎用鉄筋支持具で両フック型配筋を支持する場合の部分拡大斜視図
【図１１】実施の形態１における基礎用鉄筋支持具で閉鎖型配筋を支持する場合の斜視図
【図１２】実施の形態１における基礎用鉄筋支持具で閉鎖型配筋を支持する場合の部分拡大斜視図
【発明を実施するための形態】
【００２０】
以下、本発明の実施の形態における基礎用鉄筋支持具について、図面を参照しながら説明する。
（実施の形態１）
図１は実施の形態１における基礎用鉄筋支持具の正面側斜視図であり、図２は実施の形態１における基礎用鉄筋支持具の背面側斜視図であり、図３は実施の形態１における基礎用鉄筋支持具の正面図であり、図４は実施の形態１における基礎用鉄筋支持具の左側面図であり、図５は実施の形態１における基礎用鉄筋支持具の背面図であり、図６は実施の形態１における基礎用鉄筋支持具の平面図である。
図中、１はポリエチレン，ポリプロピレン，ポリスチレン等の合成樹脂で一体に射出成型された実施の形態１における基礎用鉄筋支持具、２は平板状に薄く形成された基礎用鉄筋支持具１の基部、３は基部２の長さ方向の中央部に形設された基礎用鉄筋支持具１の鉄筋支持部、４は鉄筋支持部３の横筋支持部、４ａは枠状に形成された横筋支持部４の脚部、４ｂは脚部４ａの上部に形成された横筋支持部４の横筋支持面、４ｃ（図４）は横筋支持面４ｂの端部上面に基部２の長手方向と平行に突設された横筋係止突部、４ｄは横筋支持部４の脚部４ａに形成された肉抜き部、５は横筋支持部４に連設された鉄筋支持部３の立上り筋支持部、５ａは立上り筋が嵌合される立上り筋支持部５の嵌合凹部、５ｂは嵌合凹部５ａの上方に延設され立上り筋の側部を案内、支持する立上り筋支持部５の半円筒状の立上り筋案内部、６は横筋支持部４の横筋支持面４ｂ上に立設され縦筋が係合される鉄筋支持部３の縦筋係合部、７は立上り筋支持部５の下端部に下に凸な円弧溝状に形設されフック状に形成された鉄筋の下端側の円弧部が嵌合される鉄筋支持部３の嵌合溝部、８は嵌合溝部７の両側壁部の上部に形設され縦筋が係合される鉄筋支持部３の係合爪部、９は基板２上の鉄筋支持部３の両側で型枠を支持する左右一対の型枠支持部、９ａは断面コ字型やＨ字型などに形成され基部２上の両側部に鉄筋支持部３を挟んで左右の対称位置に立設された型枠支持部９の支柱部、９ｂは支柱部９ａの上端に形設され型枠が載置される型枠支持部９の型枠載置面、９ｃは支柱部９ａと基部２及び型枠載置面９ｂとの間を斜めに連結して補強する型枠支持部９の補強支持部、９ｄは支柱部９ａの要所に円形状や長孔状に穿設された肉抜き部、９ｅは支柱部９ａと補強支持部９ｃとの間に形設された略三角形状の肉抜き部、９ｆは型枠載置面９ｂの下部支持部に穿設された複数の円形状の肉抜き部、９ｇは型枠載置面９ｂの上面部に形設された矩形状の肉抜き部、９ｈは型枠載置面９ｂよりもやや低くなるように段差状に形成された幅止め金具載置部、９ｉは幅止め金具載置部９ｈの型枠載置面９ｂと反対側の端部に突設され幅止め金具の落下を防止する幅止め金具係止突起、１０は左右の支柱部９ａに鉄筋支持部３の横筋支持部４と同じ高さに形設された横筋載置部、１０ａは横筋載置部１０の上方に間隔を空けて支柱部９ａに形設された横筋係止部、１１は鉄筋支持部３と左右の型枠支持部９の支柱部９ａを連結する水平連結部、１１ａは水平連結部１１の下部に形設された略矩形状の肉抜き部である。
【００２１】
立上り筋支持部５の嵌合凹部５ａや立上り筋案内部５ｂ或いは嵌合溝部７の表面（各鉄筋との接触部）の少なくとも一部に必要に応じて凸条などの突起を形成することが好ましい。これにより、寸法誤差を吸収し、突起を各鉄筋に確実に接触させて各鉄筋を自立させることができ、傾きやがたつきを効果的に防止できる。尚、突起を鉛直方向と平行な凸条に形成した場合、各鉄筋の挿通時の抵抗が大きくなり過ぎることを防いでスムーズに案内することができ、施工性に優れる。
型枠載置面９ｂと幅止め金具載置部９ｈとの段差は幅止め金具の厚さとほぼ同等かそれよりもやや高めになるように形成した。この段差と幅止め金具係止突起９ｉとの間で挟むようにして幅止め金具を保持することができ、幅止め金具の落下や傾き、位置ずれなどを防止し、型枠を略一定の間隔に保持することができる。尚、幅止め金具係止突起９ｉの数や配置は適宜、選択することができる。
【００２２】
以上のように構成された基礎用鉄筋支持具の使用方法について、以下、図面を参照しながら説明する。
まず、シングル配筋を支持する場合について説明する。
図７は実施の形態１における基礎用鉄筋支持具でシングル配筋を支持する場合の斜視図であり、図８は実施の形態１における基礎用鉄筋支持具でシングル配筋を支持する場合の部分拡大斜視図である。
図７中、２０は実施の形態１における基礎用鉄筋支持具１で支持されたシングル配筋、２１ａは所定の間隔で配置された基礎用鉄筋支持具１で支持されたシングル配筋２０の横（ベース）筋、２１ｂは基礎用鉄筋支持具１で支持されないシングル配筋２０のその他の横（ベース）筋、２２ａは基礎用鉄筋支持具１で支持されたシングル配筋２０の縦（ベース）筋、２２ｂは各々の横（ベース）筋２１ａ，２１ｂの両端部にスポット熔接等で縦（ベース）筋２２ａと平行に固定されたシングル配筋２０の縦（ベース）筋、２３ａは所定の間隔で配置された基礎用鉄筋支持具１で支持されたシングル配筋２０の立上り筋、２３ｂは横（ベース）筋２１ｂ及び縦（ベース）筋２２ａにスポット熔接等で立上り筋２３ａと平行に固定されたシングル配筋２０のその他の立上り筋、２４ａは立上り筋２３ａ，２３ｂの長手方向の途中にスポット熔接等で縦（ベース）筋２２ａと平行に固定されたシングル配筋２０の縦筋、２４ｂは立上り筋２３ａ，２３ｂの上端部にスポット熔接等で縦（ベース）筋２２ａと平行に固定されたシングル配筋２０の上部縦筋である。
【００２３】
次に、シングル配筋の各部が基礎用鉄筋支持具にどのように支持されるか詳細に説明する。
図８において、横（ベース）筋２１ａは基礎用鉄筋支持具１の横筋支持面４ｂ及び横筋載置部１０で支持される。このとき、横（ベース）筋２１ａの側部に横筋係止突部４ｃが係止して横（ベース）筋２１ａの落下を防止する。また、横（ベース）筋２１ａの上部に横筋係止部１０ａが係止して横（ベース）筋２１ａが浮き上がることを防止して、横（ベース）筋２１ａを確実に水平に保持する。
次に、図８において、中央の縦（ベース）筋２２ａは切り欠き状の縦筋係合部６に係合されて支持される。
また、図８において、立上り筋２３ａは下端部が立上り筋支持部５の嵌合凹部５ａに嵌合され（図２，３参照）、側部が立上り筋案内部５ｂで案内、支持される。
【００２４】
コンクリートを流しスラブを打設する際に、スラブ用コンクリートは肉抜き部４ｄ，９ｄ，９ｅ，９ｆ，９ｇ，１１ａ（図２，３，５，６参照）を流れ、基礎用鉄筋支持具１によってスラブ用コンクリートが分断されることを防止して、基礎用鉄筋支持具１をスラブ用コンクリートと一体化してスラブ内に固定し、強度を高めることできる。
以上のように本実施の形態１の基礎用鉄筋支持具１によれば、横（ベース）筋２１ａ、縦（ベース）筋２２ａ、立上り筋５ｂを簡便かつ確実に支持することができ、かぶり厚を均一に確保して、基礎工事の作業性を著しく向上させ、省力化を図りながら工期を著しく短縮化することができる。
【００２５】
次に、両フック型配筋を支持する場合について説明する。
図９は実施の形態１における基礎用鉄筋支持具で両フック型配筋を支持する場合の斜視図であり、図１０は実施の形態１における基礎用鉄筋支持具で両フック型配筋を支持する場合の部分拡大斜視図である。
図９において、実施の形態１における基礎用鉄筋支持具１で支持される両フック型配筋２０Ａがシングル配筋２０と異なる点は、立上り筋２３ａ，２３ｂの両端に略Ｊ型のフック部２３ｃを有する点である。
【００２６】
次に、両フック型配筋の各部が基礎用鉄筋支持具にどのように支持されるか詳細に説明する。
図１０において、両フック型配筋２０Ａの支持方法がシングル配筋２０の支持方法と異なる点は、縦（ベース）筋２２ａが係合爪部８の先端部で支持されている点と、立上り筋２３ａのフック部２３ｃの円弧部が嵌合溝部７に嵌合されて支持されている点である。
これにより、シングル配筋２０の場合と同様に、両フック型配筋２０Ａを用いた施工にも対応することができる。
【００２７】
次に、閉鎖型配筋を支持する場合について説明する。
図１１は実施の形態１における基礎用鉄筋支持具で閉鎖型配筋を支持する場合の斜視図であり、図１２は実施の形態１における基礎用鉄筋支持具で閉鎖型配筋を支持する場合の部分拡大斜視図である。
図１１において、実施の形態１における基礎用鉄筋支持具１で支持される閉鎖型配筋２０Ｂがシングル配筋２０と異なる点は、縦（ベース）筋２２ａ，縦筋２４ａ，上部縦筋２４ｂが中央に２本ずつ平行に配設されている点と、下端の縦（ベース）筋２２ａの両側に縦（ベース）筋２２ｂが２本ずつ平行に配設されている点と、中央の２本の縦（ベース）筋２２ａ及び縦筋２４ａ，上部縦筋２４ｂに対してそれぞれ立上り筋２３ａが平行に配設され、縦（ベース）筋２２ａ，縦筋２４ａ，上部縦筋２４ｂと立上り筋２３ａが略コ字型に形成された連結部２３ｄによって箱形に連結されている点である。
【００２８】
次に、閉鎖型配筋の各部が基礎用鉄筋支持具にどのように支持されるか詳細に説明する。
図１２において、閉鎖型配筋２０Ｂの支持方法がシングル配筋２０の支持方法と異なる点は、２本の縦（ベース）筋２２ａが、鉄筋支持部３と左右の型枠支持部９を連結する同一高さの水平連結部１１の上面部（一方は係合爪部８の斜面下の平坦部に相当）で支持されている点である。
尚、２本の縦（ベース）筋２２ａの内、左側の１本は係合爪部８と係合し、右側の１本は立上り筋支持部５の側面部に当接している。また、合計４本の縦（ベース）筋２２ｂの内、中央側の２本の縦（ベース）筋２２ｂはそれぞれ左右の支柱部９ａの外側面に当接している。これにより、基礎用鉄筋支持具１に対する閉鎖型配筋２０Ｂの左右方向の位置ずれを防止することができる。
よって、シングル配筋２０や両フック型配筋２０Ａの場合と同様に、閉鎖型配筋２０Ｂを用いた施工にも対応することができる。
【００２９】
実施の形態１の基礎構築用鉄筋支持具は以上のように構成されているので、以下の作用を有する。
（１）鉄筋支持部が、基部上の中央部に脚部を介して形設された横筋支持部と、横筋支持部に連設され立上り筋が嵌合される嵌合凹部を有する立上り筋支持部と、横筋支持部の横筋支持面上に立設され縦筋が係合される縦筋係合部と、を有することにより、横筋支持部で横（ベース）筋を支持し、立上り筋支持部の嵌合凹部に立上り筋の下部を差し込むと共に、縦筋係合部に縦（ベース）筋を係合するだけで、一工程でシングル配筋を均一な高さに配筋してかぶり厚を一定にすることができ、施工性に優れる。
（２）立上り筋支持部の下端部に下に凸な円弧溝状に形設されフック状に形成された鉄筋の下端側の円弧部が嵌合される嵌合溝部を有するので、下端がフック状に形成された配筋を簡便かつ確実に保持することができ、布基礎工事における作業性を著しく向上させることができる。
（３）型枠支持部が、基部上の両側部に立設された支柱部と、支柱部の上端に形設され型枠が載置される型枠載置面を有するので、型枠を簡便かつ確実に支持することができ、布基礎工事における施工効率を高め、工期を大幅に短縮することができる。
（４）横筋支持部、立上り筋支持部、縦筋係合部、嵌合溝部を有することにより、様々な形状や種類の配筋に対応することができ、汎用性、多様性に優れる。
（５）型枠支持部が、支柱部に形設された横筋載置部を備えることにより、鉄筋支持部の横筋支持部と共に横（ベース）筋を広い範囲で確実に支持することができ、横（ベース）筋の支持安定性に優れる。
（６）鉄筋支持部が、嵌合溝部の両側壁の縦筋係合部側の端部上方に隆起して形設され縦筋が係合される係合爪部を備えることにより、縦筋係合部と異なる位置（高さ）に配置される縦（ベース）筋を支持することができ、様々な形態の配筋に対応することが可能で、汎用性、多様性に優れる。
（７）鉄筋支持部と、型枠支持部の支柱部と、を連結する水平連結部を備えることにより、鉄筋支持部や型枠支持部の剛性を高めることができ、耐久性に優れる。
（８）水平連結部を設けることにより、左右の型枠支持部の支柱部の間隔を広げ、鉄筋支持部と型枠支持部との間に十分な空間を形成してスラブ用コンクリートの充填性を高めることができ、施工性に優れる。
（９）左右の水平連結部により、平行に配設された２本の縦（ベース）筋を支持することができるので、リング状の配筋にも対応することができ、汎用性、多様性に優れる。
【産業上の利用可能性】
【００３０】
本発明は、捨てコンクリートのモジュール芯に沿って配置するだけで、シングル配筋だけでなく、下端がフック状に形成されたフック型配筋やリング状（フープ状）に形成された閉鎖型配筋を簡便かつ確実に保持して、かぶり厚を一定にすることができ、布基礎工事における作業性を著しく向上させて、施工効率を高め、工期を大幅に短縮することができる汎用性、多様性に優れる基礎用鉄筋支持具の提供を行って、鉄筋コンクリート又は鉄骨鉄筋コンクリート造りの建築物や橋梁、滑走路等の基礎工事を効率的に行うことができる。
【符号の説明】
【００３１】
１  基礎用鉄筋支持具
２  基部
３  鉄筋支持部
４  横筋支持部
４ａ  脚部
４ｂ  横筋支持面
４ｃ  横筋係止突部
４ｄ，９ｄ，９ｅ，９ｆ，９ｇ，１１ａ  肉抜き部
５  立上り筋支持部
５ａ  嵌合凹部
５ｂ  立上り筋案内部
６  縦筋係合部
７  嵌合溝部
８  係合爪部
９  型枠支持部
９ａ  支柱部
９ｂ  型枠載置面
９ｃ  補強支持部
９ｈ  幅止め金具載置部
９ｉ  幅止め金具係止突起
１０  横筋載置部
１０ａ  横筋係止部
１１  水平連結部
２０  シングル配筋
２０Ａ  両フック型配筋
２０Ｂ  閉鎖型配筋
２１ａ，２１ｂ  横（ベース）筋
２２ａ，２２ｂ  縦（ベース）筋
２３ａ，２３ｂ  立上り筋
２３ｃ  フック部
２３ｄ  連結部
２４ａ  縦筋
２４ｂ  上部縦筋
【図３】
2011247032.tif 000003
【図４】
2011247032.tif 000004
【図５】
2011247032.tif 000005
【図６】
2011247032.tif 000006
【図７】
2011247032.tif 000007
【図９】
2011247032.tif 000008
【図１１】
2011247032.tif 000009
【図１】
2011247032.tif 000010
【図２】
2011247032.tif 000011
【図８】
2011247032.tif 000012
【図１０】
2011247032.tif 000013
【図１２】
2011247032.tif 000014